(57)【要約】【課題】集熱効率が高く、集熱が充分にできない時でも暖かい空気やお湯を得ることができる太陽エネルギー利用システムを提供すること。【解決手段】太陽電池１１と、前記太陽電池１１の裏側に設けた空気流路１３と、前記空気流路１３内に設けた集熱用熱交換器１４とを備え、前記太陽電池１１と前記空気流路１３と前記集熱用熱交換器１４とで発電集熱手段１０を構成するとともに、前記集熱用熱交換器１４と、圧縮機１６と、蓄熱用熱交換器１７と、減圧手段１８とで冷媒回路を形成したことを特徴とするもので、雨や曇りの天候や夜の太陽が照らない時間など、集熱が充分にできないでも加熱することができる。また、空気を流すことにより太陽電池を冷却することができる。【選択図】図１
2010270943.tif 000002
【特許請求の範囲】
【請求項１】
太陽電池と、前記太陽電池の裏側に設けた空気流路と、前記空気流路内に設けた集熱用熱交換器とを備え、前記太陽電池と前記空気流路と前記集熱用熱交換器とで発電集熱手段を構成するとともに、前記集熱用熱交換器と、圧縮機と、蓄熱用熱交換器と、減圧手段とで冷媒回路を形成したことを特徴とする太陽エネルギー利用システム。
【請求項２】
空気流路を略密閉空間とするとともに、前記空気流路内に送風手段を設けることで、前記空気流路内で空気が循環するように構成したことを特徴とする請求項１に記載の太陽エネルギー利用システム。
【請求項３】
空気流路を傾斜させたことを特徴とする請求項１に記載の太陽エネルギー利用システム。
【請求項４】
空気流路を略密閉空間とするとともに、前記空気流路を傾斜させることで、前記空気流路内で空気が自然循環するように構成したことを特徴とする請求項１に記載の太陽エネルギー利用システム。
【請求項５】
集熱用熱交換器に吸引される空気の温度に基づき、冷媒回路の運転動作を制御することを特徴とする請求項１〜４のいずれか１項に記載の太陽エネルギー利用システム。
【請求項６】
空気流路への吸込空気の温度と、前記空気流路中で太陽電池の裏側を通過後の空気の温度とを比較し、前記空気流路中で太陽電池の裏側を通過後の空気の温度の方が低い場合には、再度前記太陽電池の裏側を通過させることを特徴とする請求項１または２に記載の太陽エネルギー利用システム。
【発明の詳細な説明】
【技術分野】
【０００１】
本発明は、太陽光や太陽熱、また大気熱を利用した空調システムや給湯システムに関するものである。
【背景技術】
【０００２】
従来、この種のシステムは以下に示されるものがある。
【０００３】
図７に示すように、太陽電池１０１を設置した屋根において、屋根軒先外気開放部１０２から太陽電池１０１の裏面を経て屋根棟部外気開放部１０６におよぶ空気流通路１０４を形成し、屋根棟部１０３における空気流通路内に、熱交換器１０５を設け、空気流通路１０４を流れる空気１０７、１０８から集熱し、屋根棟部外気開放部１０６から屋外へ空気１０９として排気を行えるよう構成されている（例えば、特許文献１参照）。
【０００４】
また、図１１に示すように、太陽熱集熱部１１１と、太陽熱集熱部１１１で集熱した暖かい空気１２２を室内１１２に送る構成からなり、太陽熱集熱部１１１は屋根板直下に、屋根と同様の勾配を有する空気流路１１３を形成し、集熱用送風手段１１４、風下には集熱した空気１２２を室内１１２へ、または屋外へ空気１２３として排気、を切り替える流路切り替えダンパ１１５を設置し、立下りダクト１１６を接続し、暖かい空気１２２、１２４、１２５を室内１１２へ送るよう構成されている。
【０００５】
また、お湯とりコイル１１７を設け、前記お湯とりコイル１１７を配管１１８で貯湯槽１１９と接続し、循環ポンプ１２０にて送りこまれる熱媒がお湯とりコイル１１７で加熱され、湯として貯湯槽１１９に蓄えられるよう構成されている（例えば、特許文献２参照）。
【先行技術文献】
【特許文献】
【０００６】
【特許文献１】実開昭６０−３５８３０号公報
【特許文献２】特開２００５−１８８８７３号公報
【発明の概要】
【発明が解決しようとする課題】
【０００７】
しかしながら、従来、特許文献１に示されている構成では、例えば、雨や曇りの天候や夜の太陽が照らない時間など、集熱が充分にできない、すなわち、暖かい空気やお湯を得るためには、さらに加熱手段が必要となる。
【０００８】
また、集熱可能な天候や時間でも、屋根軒先外気開放部１０２から太陽電池１０１の裏面を経て屋根棟部外気開放部１０６におよぶ空気流通路１０４、および熱交換器１０５がワンパスで構成されているため、集熱効率が低く充分に集熱されないまま屋外へ空気１０９とし排気される。すなわち、熱交換器１０５で充分に集熱するには、非常に大きな熱交換器１０５が必要となるという課題を有している。
【０００９】
また、特許文献２に示されている構成では、同様に、例えば、雨や曇りの天候や夜の太陽が照らない時間など、集熱が充分にできない時のために、貯湯槽１１９にて充分に暖かいお湯を得るためには、さらに加熱手段が必要となる。
【００１０】
また、加熱手段を設置するために、さらにスペースが必要となる、という課題を有して
いた。また、太陽熱集熱部１１１と、太陽熱集熱部１１１で集熱した暖かい空気１２２を室内１１２に送る構成およびお湯とりコイル１１７がワンパスで構成されているため、充分に集熱されないまま貯湯槽１１９に低い温度で蓄えられてしまう、すなわち、お湯とりコイル１１７で充分に集熱するには、非常に大きなお湯とりコイル１１７が必要で、その分スペースも必要となるという課題を有している。
【００１１】
本発明は、前記従来の課題を解決するもので、集熱効率を上げるとともに、集熱のための熱交換器の小さいシステムを提供することを目的とするものである。
【００１２】
また、集熱が充分にできない時でも、充分に暖かい空気やお湯を得るシステムを提供する、さらに、太陽電池を冷却し発電効率を向上させるシステムを提供することを目的とするものである。
【課題を解決するための手段】
【００１３】
上記課題を解決するために、本発明の太陽エネルギーシステムは、太陽電池と、前記太陽電池の裏側に設けた空気流路と、前記空気流路内に設けた集熱用熱交換器とを備え、前記太陽電池と前記空気流路と前記集熱用熱交換器とで発電集熱手段を構成するとともに、前記集熱用熱交換器と、圧縮機と、蓄熱用熱交換器と、減圧手段とで冷媒回路を形成したことを特徴とするもので、雨や曇りの天候や夜の太陽が照らない時間など、集熱が充分にできないでも加熱することができる。また、空気を流すことにより太陽電池を冷却することができる。
【発明の効果】
【００１４】
以上のように本発明によれば、集熱効率を上げるとともに、集熱のための熱交換器の小さいシステムを提供できる。また、集熱が充分にできない時でも、充分に暖かい空気やお湯を得るシステムを提供できる。
【図面の簡単な説明】
【００１５】
【図１】本発明の第１の実施の形態における太陽エネルギー利用システムの概略構成図
【図２】本発明の第２の実施の形態における太陽エネルギー利用システムの概略構成図
【図３】本発明の第３の実施の形態における太陽エネルギー利用システムの概略構成図
【図４】本発明の第４の実施の形態における太陽エネルギー利用システムの概略構成図
【図５】本発明の第５の実施の形態における太陽エネルギー利用システムの概略構成図
【図６】本発明の第６の実施の形態における太陽エネルギー利用システムの概略構成図
【図７】従来の太陽エネルギー利用システムの概略図
【図８】他の従来の太陽エネルギー利用システムの概略構成図
【発明を実施するための形態】
【００１６】
第１の発明は、太陽電池と、前記太陽電池の裏側に設けた空気流路と、前記空気流路内に設けた集熱用熱交換器とを備え、前記太陽電池と前記空気流路と前記集熱用熱交換器とで発電集熱手段を構成するとともに、前記集熱用熱交換器と、圧縮機と、蓄熱用熱交換器と、減圧手段とで冷媒回路を形成したことを特徴とするもので、雨や曇りの天候や夜の太陽が照らない時間など、集熱が充分にできないでも加熱することができる。また、空気を
流すことにより太陽電池を冷却することができる。すなわち、集熱が充分にできない時でも、充分に暖かい空気やお湯を得ることができる、また、太陽電池を冷却し、発電効率を向上させることができる。
【００１７】
第２の発明は、空気流路を略密閉空間とするとともに、前記空気流路内に送風手段を設けることで、前記空気流路内で空気が循環するように構成したことを特徴とするもので、集熱されないまま屋外へ空気が排気されることがなく、効率よく集熱することができる。また、冷えた空気を循環することができ、太陽電池をより冷却することができる。すなわち、集熱効率を上げることができる、また、集熱のための熱交換器を小さくすることができる。さらに、太陽電池の発電効率を、より向上させることができる。
【００１８】
第３の発明は、空気流路を傾斜させたことを特徴とするもので、送風手段を設けなくても、空気流路で暖められた空気が自然に上昇するため、効率よく集熱することができる。すなわち、送風手段を設けなくても集熱効率を上げることができる、また、集熱のための熱交換器を小さくすることができる。
【００１９】
第４の発明は、空気流路を略密閉空間とするとともに、前記空気流路を傾斜させることで、前記空気流路内で空気が自然循環するように構成したことを特徴とするもので、空気流路で暖められた空気が自然に上昇するとともに、熱交換器で集熱され冷えた空気は自然に下降するため空気が空気流路内で自然に循環し、送風手段を設けなくても、さらに効率よく集熱することができる。また、冷えた空気をより循環することができ、太陽電池をさらに冷却することができる。すなわち、集熱効率をより上げることができる、また、集熱のための熱交換器をより小さくすることができる。さらに、太陽電池の発電効率を、さらに向上させることができる。
【００２０】
第５の発明は、集熱用熱交換器に吸引される空気の温度に基づき、冷媒回路の運転動作を制御することを特徴とするもので、集熱の状態を推測することができ、充分に集熱できているときは、例えば、冷媒回路の圧縮機の回転数を低く、充分に集熱できていないときは例えば冷媒回路の圧縮機の回転数を高くすることができ、集熱状態にあわせて冷媒回路を効率よく制御することができる。すなわち、集熱状態にあわせて無駄な消費電力を使うことなく、充分に暖かい空気やお湯を得ることができる。
【００２１】
第６の発明は、空気流路への吸込空気の温度と、前記空気流路中で太陽電池の裏側を通過後の空気の温度とを比較し、前記空気流路中で太陽電池の裏側を通過後の空気の温度の方が低い場合には、再度前記太陽電池の裏側を通過させることを特徴とするもので、太陽電池裏側を通過する空気を、より冷えた空気を循環することができ、太陽電池を一層冷却することができる。すなわち、太陽電池の発電効率を、一層向上させることができる。
【００２２】
以下、本発明の実施の形態について図面を参照しながら説明する。なお、本発明の形態によって本発明が限定されるものではない。
【００２３】
（実施の形態１）
図１は本発明の第１の実施の形態における太陽エネルギー利用システムの概略構成図を示すものである。
【００２４】
図１において、１０は発電集熱手段である。発電集熱手段１０は、１１の太陽電池、１２ａおよび１２ｂの開口部、１３の空気流路、１４の集熱用熱交換器で構成している。空気流路１３は太陽電池１１の裏側に設け、集熱用熱交換器１４は空気流路１３内に設けている。
【００２５】
また、１６は圧縮機、１７は蓄熱用熱交換器、１７ａは蓄熱槽、１８は減圧手段である膨張弁で、集熱用熱交換器１４を含め、１５の配管で接続し冷媒回路を構成している。また、点線矢印の１９ａおよび１９ｂは空気の流れである。
【００２６】
以上のように構成された太陽エネルギー利用システムについて、以下その動作を説明する。
【００２７】
発電集熱手段１０は、太陽の光や熱が得られるよう、例えば、屋根に設置し、開口部１２ａは、例えば、屋根軒先などに設け、空気が入ってこられるようにする。なお、発電集熱手段１０の設置は、屋根ではなく、例えばベランダや壁など、太陽の光や熱が得られ、開口部１２ａから空気が入ってこられるところであれば、何ら限定しない。
【００２８】
発電集熱手段１０は、太陽の光や熱によって暖められる。また、太陽電池１１は太陽の光によって発電を行う。開口部１２ａから入った空気１９ａは、空気流路１３を通過することにより、太陽の光や熱によって暖められるとともに、太陽電池１１の裏側の熱を奪いながら、暖められた空気１９ａとなる。
【００２９】
暖められた空気１９ａはさらに集熱用熱交換器１４に熱を与え、冷えた空気１９ｂとして開口部１２ｂから出ていく。この過程で、太陽電池１１は裏側から熱を奪われ冷却されるため、発電効率が向上する。
【００３０】
次に、集熱用熱交換器１４、配管１５、圧縮機１６、蓄熱用熱交換器１７、膨張弁１８で構成された冷媒回路について説明する。
【００３１】
集熱用熱交換器１４は、空気が通過することにより大気熱を得て、配管１５を流れる冷媒を加熱する。加熱された冷媒は蒸発ガス化し、圧縮機１６へ流入する。そして高温高圧ガスとなった冷媒は蓄熱用熱交換器１７へ流入し、蓄熱槽１７ａに蓄熱される。また、蓄熱槽１７ａに熱を奪われた蓄熱用熱交換器１７内の冷媒は凝縮液化し、さらに膨張弁１８で減圧され冷えた冷媒として集熱用熱交換器１４に流入し、再度加熱され蒸発ガス化する。
【００３２】
このようにヒートポンプを利用することにより、雨や曇りの天候や夜の太陽が照らない時間など、集熱が充分にできないときでも、蓄熱槽１７ａに高い温度で蓄熱することができる。
【００３３】
また、太陽の光や熱で暖められた空気１９ａが通過する場合、集熱用熱交換器１４では、通常より高い温度の空気が通過し、配管１５を流れる冷媒を高い温度で加熱する。従って、より高い温度として蓄熱槽１７ａに蓄熱される。
【００３４】
蓄熱槽１７ａは、例えば水を貯めておき、高温のお湯として蓄熱する。高温のお湯は、例えば給湯としてお風呂で利用、床暖房等に利用、また、温水を利用した温風暖房などに利用する。なお、蓄熱槽１７ａは、水以外でも、蓄熱可能なものであれば、なんら限定しない。
【００３５】
以上のように、本第１の実施の形態では、雨や曇りの天候や夜の太陽が照らない時間など、集熱が充分にできないでも加熱することができる。また、空気を流すことにより太陽電池を冷却することができる。
【００３６】
すなわち、集熱が充分にできない時でも、充分に暖かい空気やお湯を得ることができる。また、太陽電池を冷却し、発電効率を向上させることができる。
【００３７】
（実施の形態２）
図２は本発明の第２の実施の形態における太陽エネルギー利用システムの概略構成図を示すものである。
【００３８】
図２において、２０は空気循環型発電集熱手段である。空気循環型発電集熱手段２０は、１１の太陽電池、２１の送風手段、２２ａおよび２２ｂの循環型開口部、２３の循環型空気流路、１４の集熱用熱交換器で構成している。
【００３９】
循環型空気流路２３は、太陽電池１１の裏側で二層にて構成し、空気が循環できるよう、送風手段２１、循環型開口部２２ａおよび２２ｂを設けている。集熱用熱交換器１４は空気流路２３内に設けている。また、冷媒回路は第１の実施の形態と同様である。また、点線矢印の２９ａおよび２９ｂは循環する空気の流れである。
【００４０】
以上のように構成された太陽エネルギー利用システムについて、以下その動作を説明する。
【００４１】
空気循環型発電集熱手段２０は、太陽の光や熱が得られるよう、例えば、屋根に設置する。なお、空気循環型発電集熱手段２０の設置は、屋根にではなく、例えばベランダや壁など、太陽の光や熱が得られるところであれば、何ら限定しない。
【００４２】
発電集熱手段２０は、太陽の光や熱によって暖められる。また、太陽電池１１は太陽の光によって発電を行う。なお、発電により電力を、送風手段２１の駆動電力に利用する、また、他に利用するなど、何ら限定しない。
【００４３】
循環型空気流路２３内の空気２９ａは、送風手段２１によって、暖められた空気循環型発電集熱手段２０内や太陽電池１１裏側の循環型空気流路２３を通過することにより、太陽の光や熱によって暖められるとともに、太陽電池１１の裏側の熱を奪いながら、暖められた空気２９ａとなる。
【００４４】
暖められた空気２９ａは、集熱用熱交換器１４に熱を与え、冷えた空気２９ｂとして循環型開口部２２ｂから出ていく。空気２９ｂは再び循環型開口部２２ａを通過し、太陽電池１１裏側の循環型空気流路２３を通過することにより、太陽の光や熱によって暖められるとともに、太陽電池１１の裏側の熱を奪いながら、暖められた空気２９ａとなる。この過程で、太陽電池１１は裏側から熱を奪われ冷却されるため、発電効率が向上する。
【００４５】
また、冷媒回路の動作については、第１の実施例と同様であるが、集熱用熱交換器１４で冷やされた空気２９ｂが排気されることなく、再び循環型開口部２２ａを通過し、太陽電池１１裏側の循環型空気流路２３を通過するため、より太陽電池１１の裏側の熱を奪うことができる。
【００４６】
以上のように、本第２の実施の形態では、集熱されないまま屋外へ空気が排気されることがなく、効率よく集熱することができる。また、冷えた空気を循環することができ、太陽電池をさらに冷却することができる。
【００４７】
すなわち、集熱効率を上げることができる、また、集熱のための熱交換器を小さくすることができる。さらに、太陽電池の発電効率を、より向上させることができる。
【００４８】
（実施の形態３）
図３は本発明の第３の実施の形態における太陽エネルギー利用システムの概略構成図を
示すものである。
【００４９】
図３において、３０は空気自然上昇型発電集熱手段である。空気自然上昇型発電集熱手段３０は、本発明の第１の実施の形態の発電集熱手段１０に勾配をもたせたものである。また、集熱用熱交換器１４は空気自然上昇型発電集熱手段３０の空気流路１３の勾配上部に設ける。
【００５０】
以上のように構成された太陽エネルギー利用システムについて、以下その動作を説明する。
【００５１】
開口部１２ａから入った空気１９ａは、空気流路１３を通過することにより、太陽の光や熱によって暖められるとともに、太陽電池１１の裏側の熱を奪いながら、暖められた空気１９ａとなる。
【００５２】
ここで、空気自然上昇型発電集熱手段３０は、勾配をもっているため、暖められた空気１９ａは送風手段がなくとも自然に上昇し、集熱用熱交換器１４に熱を与え、冷えた空気１９ｂとして開口部１２ｂから出ていく。
【００５３】
以上のように、本第３の実施の形態では、送風手段がなくても空気流路で暖められた空気が自然に上昇するため、効率よく集熱することができる。
【００５４】
すなわち、送風手段がなくても集熱効率を上げることができる、また、集熱のための熱交換器を小さくすることができる。
【００５５】
（実施の形態４）
図４は本発明の第４の実施の形態における太陽エネルギー利用システムの概略構成図を示すものである。
【００５６】
図４において、４０は空気自然循環型発電集熱手段である。空気自然循環型発電集熱手段４０は、本発明の第ニの実施の形態の空気循環型発電集熱手段２０に勾配をもたせたものである。また、集熱用熱交換器１４は空気自然循環型発電集熱手段４０の循環型空気流路２３の勾配上部に設ける。
【００５７】
以上のように構成された太陽エネルギー利用システムについて、以下その動作を説明する。
【００５８】
循環型空気流路２３内の空気４９ａは、暖められた空気循環型発電集熱手段２０内や太陽電池１１裏側の循環型空気流路２３により、太陽の光や熱によって暖められるとともに、太陽電池１１の裏側の熱を奪いながら、暖められた空気４９ａとなる。
【００５９】
ここで、空気自然循環型発電集熱手段４０は、勾配をもっているため、暖められた空気４９ａは送風手段がなくとも自然に上昇し、集熱用熱交換器１４に熱を与え、冷えた空気２９ｂとして循環型開口部２２ｂから出ていく。
【００６０】
ここで、空気自然循環型発電集熱手段４０は、勾配をもっているため、冷えた空気４９ｂは送風手段がなくとも自然に下降し、再び循環型開口部２２ａを通過し、太陽電池１１裏側の循環型空気流路２３を通過することにより、太陽の光や熱によって暖められるとともに、太陽電池１１の裏側の熱を奪いながら、暖められた空気２９ａとなる。
【００６１】
以上のように、本第４の実施の形態では、空気流路で暖められた空気が自然に上昇する
とともに、熱交換器で集熱され冷えた空気は自然に下降するため空気が空気流路内で自然に循環し、送風手段がなくても、さらに効率よく集熱することができる。また、冷えた空気をより循環することができ、太陽電池をさらに冷却することができる。
【００６２】
すなわち、集熱効率をより上げることができる、また、集熱のための熱交換器をより小さくすることができる。さらに、太陽電池の発電効率を、さらに向上させることができる。
【００６３】
（実施の形態５）
図５は本発明の第５の実施の形態における太陽エネルギー利用システムの概略構成図を示すものである。
【００６４】
図５において、５０は集熱用熱交換器１４に吸い込まれる空気の温度を検出する熱交吸込温度センサ、５０ａは熱交吸込温度センサ５０から出力された熱交吸込温度信号、５１は前記熱交吸込温度センサから出力された温度信号に基づき冷媒回路を制御する制御手段、５１ａは制御手段５１から出力された制御信号である。
【００６５】
以上のように構成された太陽エネルギー利用システムについて、以下その動作を説明する。
【００６６】
開口部１２ａから入った空気１９ａは、空気流路１３を通過することにより、太陽の光や熱によって暖められるとともに、太陽電池１１の裏側の熱を奪いながら、暖められた空気１９ａとなる。
【００６７】
暖められた空気１９ａはさらに集熱用熱交換器１４に熱を与え、冷えた空気１９ｂとして開口部１２ｂから出ていく。この過程で、太陽電池１１は裏側から熱を奪われ冷却されるため、発電効率が向上する。
【００６８】
次に、集熱用熱交換器１４、配管１５、圧縮機１６、蓄熱用熱交換器１７、膨張弁１８で構成された冷媒回路について説明する。
【００６９】
集熱用熱交換器１４は、空気が通過することにより大気熱を得て、配管１５を流れる冷媒を加熱する。加熱された冷媒は蒸発ガス化し、圧縮機１６へ流入する。そして高温高圧ガスとなった冷媒は蓄熱用熱交換器１７へ流入し、蓄熱槽１７ａに蓄熱される。
【００７０】
また、蓄熱槽１７ａに熱を奪われた蓄熱用熱交換器１７内の冷媒は凝縮液化し、さらに膨張弁１８で減圧され冷えた冷媒として集熱用熱交換器１４に流入し、再度加熱され蒸発ガス化する。このようにヒートポンプを利用することにより、雨や曇りの天候や夜の太陽が照らない時間など、集熱が充分にできないときでも、蓄熱槽１７ａに高い温度で蓄熱することができる。
【００７１】
さらに、熱交吸込温度センサ５０から出力された熱交吸込温度信号５０ａによって、雨や曇りの天候や夜の太陽が照らない時間などは、発電集熱手段１０で集熱が充分にできず、熱交吸込温度信号５０ａは低くなる。逆に発電集熱手段１０で集熱が充分にできているときには熱交吸込温度信号５０ａは低くなる。このように、熱交吸込温度信号５０ａによって集熱状態を推測することができる。
【００７２】
制御手段５１では、これら集熱状態に合わせて、充分が集熱できているときは、例えば、冷媒回路の圧縮機１６の回転数を低く、充分に集熱できていないときは例えば冷媒回路１６の圧縮機の回転数を高くするよう、制御信号５１ａを出力する。圧縮機１６では、制
御信号５１ａに合わせて、圧縮機の回転数を制御する。
【００７３】
以上のように、本第５の実施の形態では、集熱の状態を推測することができ、充分が集熱できているときは例えば冷媒回路の圧縮機の回転数を低く、充分に集熱できていないときは例えば冷媒回路の圧縮機の回転数を高くすることができ、集熱状態にあわせて冷媒回路を効率よく制御することができる。
【００７４】
すなわち、集熱状態にあわせて無駄な消費電力を使うことなく、充分に暖かい空気やお湯を得ることができる。
【００７５】
（実施の形態６）
図６は本発明の第６の実施の形態における太陽エネルギー利用システムの概略構成図を示すものである。
【００７６】
図６において、６０は吸込ダンパ、６１は空気流路ダンパ、６２は吹出ダンパである。また、６３は吸込ダンパ６０に吸い込まれる空気の温度を検出する吸込ダンパ吸込温度センサ、６３ａは吸込ダンパ吸込温度信号、６４は空気流路ダンパに吸い込まれる空気の温度を検出する空気流路ダンパ吸込温度センサ、６４ａは空気流路ダンパ吸込温度信号である。また、６５は吸込ダンパと空気流路ダンパと吹出ダンパの少なくとも１つ以上を制御するダンパ制御手段、６５ａはダンパ制御信号である。
【００７７】
以上のように構成された太陽エネルギー利用システムについて、以下その動作を説明する。
【００７８】
ダンパ制御手段６５では、吸込ダンパ吸込温度信号６３ａと空気流路ダンパ吸込温度信号６４ａを比較し、太陽電池１１の冷却ため、どちらの空気の温度が低いかを比較し、吸込ダンパ６０、空気流路ダンパ６１、吹出ダンパ６２の開放または閉鎖を決定し、ダンパ制御信号６５ａとして、６０〜６２の各ダンパに出力する。
【００７９】
例えば、吸込ダンパ吸込温度信号６３ａと空気流路ダンパ吸込温度信号６４ａを比較し、空気流路ダンパ吸込温度信号６４ａの方が低いときは、吸込ダンパ６０および吹出ダンパ６２を閉鎖し、空気流路ダンパ６１を開放するよう信号を送る。
【００８０】
また、吸込ダンパ吸込温度信号６３ａと空気流路ダンパ吸込温度信号６４ａを比較し、空気流路ダンパ吸込温度信号６４ａの方が高いときは、吸込ダンパ６０および吹出ダンパ６２を開放し、空気流路ダンパ６１を閉鎖するよう信号を送る。
【００８１】
以上のように、本第６の実施の形態では、太陽電池裏側を通過する空気を、より冷えた空気を循環することができ、太陽電池を一層冷却することができる。すなわち、太陽電池の発電効率を、一層向上させることができる。
【産業上の利用可能性】
【００８２】
本発明は、太陽の光と熱のエネルギーを利用するシステムであるとともに、太陽電池を冷却し発電効率をあげるものでもある。従って、太陽の光や熱の利用として、給湯システムや快適な室内環境をつくる温水暖房、床暖房等の空調システムにも展開が可能である。また、戸建て住宅や集合住宅などの一般住宅のみならず、非住宅などにも適用できる。また、発電効率を上げるための冷却システムとしても適用できる。また、太陽エネルギーを得るために屋根だけではなく、ベランダや壁などに設置することもできる。
【符号の説明】
【００８３】
１０  発電集熱手段
１１  太陽電池
１２ａ  開口部
１２ｂ  開口部
１３  空気流路
１４  集熱用熱交換器
１５  配管
１６  圧縮機
１７  蓄熱用熱交換器
１７ａ  蓄熱槽
１８  膨張弁（減圧手段）
１９ａ  空気の流れ
１９ｂ  空気の流れ
【図１】
2010270943.tif 000003
【図２】
2010270943.tif 000004
【図３】
2010270943.tif 000005
【図４】
2010270943.tif 000006
【図５】
2010270943.tif 000007
【図６】
2010270943.tif 000008
【図７】
2010270943.tif 000009
【図８】
2010270943.tif 000010